(57)【特許請求の範囲】
【請求項１】
ＵＳＢインターフェースを有する電子機器であって、
電源管理チップと、
ＵＳＢインターフェースチップと、
制御回路とを備え、
前記制御回路は、それぞれ電源管理チップとＵＳＢインターフェースチップに接続し、
前記制御回路は、電源管理チップに入力する充電電圧ＶＣＨＧを、ＵＳＢ＿ＶＢＵＳピンに出力する電圧と互いに隔離する制御信号として、ＵＳＢインターフェースチップのＵＳＢバスの電源正極が所在するＵＳＢ＿ＶＢＵＳピンに対して、制御信号に対応する電圧値を出力し、
前記制御回路の制御ピンが電源管理チップの充電電圧ＶＣＨＧピンに接続し、制御回路の出力ピンがＵＳＢインターフェースチップのＵＳＢバスの電源正極が所在するＵＳＢ＿ＶＢＵＳピンに接続し、
制御回路の電源ピンが、ＵＳＢステートマシンの起動電圧より大きく、ＵＳＢ＿ＶＢＵＳの最大動作電圧より小さいハイレベルを入力する固定電圧の入力側に接続し、
制御回路は制御ピン電圧が設定された閾値より大きいと検出した場合、出力ピンにより固定電圧を出力し、制御ピン電圧が設定された閾値より小さいと検出した場合、出力ピンにより０Ｖ以上、ＵＳＢステートマシンの起動電圧より小さいローレベルを出力することに用いられることを特徴とするＵＳＢインターフェースを有する電子機器。
【請求項２】
請求項１に記載のＵＳＢインターフェースを有する電子機器であって、前記制御回路は、
ベースが電源管理チップの充電電圧ＶＣＨＧピンに接続し、コレクタが第２のトランジスタのベースに接続し、エミッタがグランドに接続する第１のトランジスタと、
エミッタが固定電圧出力側に接続し、コレクタがＵＳＢインターフェースチップのＵＳＢ＿ＶＢＵＳピンに接続するとともに、第３のレジスタンスを介しグランドに接続する第２のトランジスタと、
をさらに含むことを特徴とする電子機器。
【請求項３】
請求項２に記載のＵＳＢインターフェースを有する電子機器であって、
前記第１のトランジスタのベースは第１のレジスタンスを介し電源管理チップの充電電圧ＶＣＨＧピンに接続することを特徴とする電子機器。
【請求項４】
請求項２に記載のＵＳＢインターフェースを有する電子機器であって、
前記第１のトランジスタのコレクタは第２のレジスタンスを介し第２のトランジスタのベースに接続することを特徴とする電子機器。
【請求項５】
請求項２に記載のＵＳＢインターフェースを有する電子機器であって、前記第１のトランジスタはＮＰＮ型トランジスタで、前記第２のトランジスタはＰＮＰ型トランジスタであることを特徴とする電子機器。
【請求項６】
請求項１に記載のＵＳＢインターフェースを有する電子機器であって、前記制御回路は、
ベースが電源管理チップの充電電圧ＶＣＨＧピンに接続し、コレクタが第１の電界効果トランジスタのグリッドに接続し、エミッタがグランドに接続する第１のトランジスタと、
ドレインが固定電圧出力側に接続し、ソースがＵＳＢインターフェースチップのＵＳＢ＿ＶＢＵＳピンに接続するとともに、第３のレジスタンスを介しグランドに接続し、ドレインが第５のレジスタンスを介しグリッドに接続する第１金属酸化物半導体型電界効果トランジスタと、
をさらに含むことを特徴とする電子機器。
【請求項７】
請求項６に記載のＵＳＢインターフェースを有する電子機器であって、
前記第１のトランジスタのベースは第１のレジスタンスを介し電源管理チップの充電電圧ＶＣＨＧピンに接続することを特徴とする電子機器。
【請求項８】
請求項６に記載のＵＳＢインターフェースを有する電子機器であって、
前記第１のトランジスタのコレクタは第４のレジスタンスを介し第１の金属酸化物半導体型電界効果トランジスタのグリッドに接続することを特徴とする電子機器。
【請求項９】
請求項６に記載のＵＳＢインターフェースを有する電子機器であって、
前記第１のトランジスタはＮＰＮ型トランジスタで、前記第１金属酸化物半導体型電界効果トランジスタはＰ型金属酸化物半導体型電界効果トランジスタであることを特徴とする電子機器。
【請求項１０】
ＵＳＢインターフェースを有する電子機器のＵＳＢ通信の起動方法であって、
制御回路はＶＣＨＧ信号を検出することと、
制御回路はＶＣＨＧ信号に基づき、ＵＳＢ＿ＶＢＵＳピンに対して、ＵＳＢ＿ＶＢＵＳピンに出力する電圧と互いに隔離する制御信号に対応する電圧値を出力することと、
を含み、
前記制御回路がＶＣＨＧ信号を検出することは、制御回路が制御ピン電圧を検出することであり、
前記制御回路がＶＣＨＧ信号に基づき、ＵＳＢ＿ＶＢＵＳピンに対して制御信号に対応する電圧値を出力することは、制御回路が制御ピン電圧が設定された閾値より大きいと検出した場合、出力ピンが固定電圧を出力し、ＵＳＢインターフェースチップがＵＳＢ＿ＶＢＵＳピンにより入力された固定電圧に基づいてＵＳＢ通信を起動し、
制御回路は、制御ピン電圧が設定された閾値より小さいと検出した場合、出力ピンが０∨より大きくＵＳＢステートマシンの起動電圧より小さいローレベルを出力し、ＵＳＢインターフェースチップがＵＳＢ＿ＶＢＵＳピンにより入力されたローレベルに基づきＵＳＢ通信を停止することを特徴とする方法。
【発明の詳細な説明】
【技術分野】
【０００１】
本発明はＵＳＢ技術分野に関し、特にＵＳＢインターフェースを有する電子機器及びそのＵＳＢ通信の起動方法に関する。
【背景技術】
【０００２】
既存技術において、ＵＳＢインターフェース付きの携帯情報端末のようなＵＳＢインターフェースを有する電子機器は、ＵＳＢ通信用のケーブルと充電用のケーブルとが一本のケーブルを共用し、すなわち、このケーブルは充電にも利用できるし、ＵＳＢ通信にも利用できる。こうすると、携帯電話の充電インターフェースの正極ＶＣＨＧとＵＳＢ＿ＶＢＵＳとが直接又は間接的に接続されるようになっている。
【０００３】
携帯情報端末機器のＵＳＢインターフェースの回路には、ＶＣＨＧ側の電圧値がある閾値(例えば３．３Ｖ）を超えた場合、充電器が挿していると判断し、ＶＣＨＧ側の電圧値がある閾値(例えば３．３Ｖ)以下である場合、充電器が抜かれていると判断するように充電器の状態を検出するための電源管理チップにおける充電電圧ＶＣＨＧ、及びＵＳＢ＿ＶＢＵＳ側の電圧値がＵＳＢ規準におけるＳｅｓｓｉｏｎ値(例えば２．０Ｖ)を超えた場合、ＵＳＢ通信ケーブルが挿していると判断してＵＳＢステートマシンを起動し、ＵＳＢ＿ＶＢＵＳ側の電圧値がＵＳＢ規準におけるＳｅｓｓｉｏｎ値(例えば２．０Ｖ)以下である場合、ＵＳＢ通信ケーブルが抜かれていると判断するＵＳＢインターフェースチップにおけるＵＳＢバスの電源正極ＵＳＢ＿ＶＢＵＳという２つのピンがある。
【０００４】
ＵＳＢインターフェースを有する携帯情報端末の充電ステートマシンの起動条件は、充電インターフェースの正極がある閾値(例えば３．３Ｖ)を超えたか否かを検出し、外部からの電圧が当該値を超えた場合、充電器が挿していると判断して充電管理を起動し始め、そうでない場合、充電器が抜かれていると判断し、充電を停止することであり、また、ＶＣＨＧの動作電圧の範囲は通常１０ボルトあまり乃至２０ボルト(例えば、１８Ｖ)で割と高く、ＵＳＢ＿ＶＢＵＳ側の動作電圧の範囲は通常５．２５Ｖで割と低くなっていることである。
【０００５】
要するに、携帯情報端末のＵＳＢステートマシンの起動条件は、ＵＳＢ＿ＶＢＵＳ(ＵＳＢバスの電源正極)側の電圧がＵＳＢ規準におけるＳｅｓｓｉｏｎ値(例えば２．０Ｖ)を超えたか否かであり、外部からの電圧が当該値を超えた場合、ＵＳＢ列挙処理を起動し、そうでない場合ＵＳＢステートマシンを停止する。 ＵＳＢ＿ＶＢＵＳの最大動作電圧は、通常５．２５Ｖという割と低い値である。よって、ＵＳＢステートマシンと充電ステートマシンとの起動条件が異なり、一の電気回路により異なる信号を区別して、ＵＳＢ通信の起動を実現することが必要があるという課題をもたらしている。業界では、現在、充電器とＵＳＢ通信とが一つのインターフェースを共用するＵＳＢ起動方法として、通常、図１に示すように、ツェナーダイオードＤ１によりＶＣＨＧに対して降圧させてから、ＵＳＢ＿ＶＢＵＳに接続されるようにしている。このような方法によると、電気回路が簡単であるが、ツェナーダイオードの応答速度が遅いため、充電器の挿入する瞬間のオーバーシュートから携帯情報端末を保護することができない欠点が存在している。
【０００６】
このように、既存技術において、充電器とＵＳＢ通信とが一つのインターフェースを共用するのでは、携帯電話端末機器の損壊になりやすいという問題がある。
【発明の概要】
【発明が解決しようとする課題】
【０００７】
以上に鑑みて、本発明の目的は、既存技術における充電器とＵＳＢ通信とが一つのインターフェースを共有することで携帯電話端末機器の損壊になり易いという問題に対して、ＵＳＢインターフェースを有する電子機器及びそのＵＳＢ通信の起動方法を提供することである。当該ＵＳＢインターフェースを有する電子機器は、電源管理チップと、ＵＳＢインターフェースチップ、及びそれぞれ電源管理チップとＵＳＢインターフェースチップに接続され、電源管理チップに入力する充電電圧ＶＣＨＧを、ＵＳＢ＿ＶＢＵＳピンに出力する電圧と互いに隔離する制御信号として、ＵＳＢインターフェースチップのＵＳＢバスの電源正極ＵＳＢ＿ＶＢＵＳピンに対して、制御信号に対応する電圧値を出力する制御回路とを備える。
【課題を解決するための手段】
【０００８】
上記ＵＳＢインターフェースを有する電子機器において、制御回路の制御ピンが電源管理チップの充電電圧ＶＣＨＧピンに接続され、制御回路の出力ピンがＵＳＢインターフェースチップのＵＳＢバスの電源正極ＵＳＢ＿ＶＢＵＳピンに接続されて、制御回路の電源ピンが、ＵＳＢステートマシンの起動電圧より大きくＵＳＢ＿ＶＢＵＳの最大動作電圧より小さいハイレベルを入力する固定電圧の入力側に接続される。制御回路は、制御ピン電圧が設定された閾値より大きいと検出した場合、出力ピンにより固定電圧を出力し、制御ピン電圧が設定された閾値より小さいと検出した場合、出力ピンにより０Ｖより大きくＵＳＢステートマシンの起動電圧より小さいローレベルを出力することに用いられる。
【０００９】
上記ＵＳＢインターフェースを有する電子機器において、制御回路には、さらに第１のトランジスタと、第２のトランジスタとを備える。
【００１０】
第１のトランジスタのベースが電源管理チップの充電電圧ＶＣＨＧピンに接続され、第１のトランジスタのコレクタが第２のトランジスタのベースに接続され、第１のトランジスタのエミッタがグランドに接続される。
【００１１】
第２のトランジスタのエミッタが固定電圧出力側に接続され、第２のトランジスタのコレクタがＵＳＢインターフェースチップのＵＳＢ＿ＶＢＵＳピンに接続されるとともに、第３のレジスタンスを介しグランドに接続される。
【００１２】
上記ＵＳＢインターフェースを有する電子機器において、第１のトランジスタのベースが第１のレジスタンスを介し電源管理チップの充電電圧ＶＣＨＧピンに接続される。
【００１３】
上記ＵＳＢインターフェースを有する電子機器において、第１のトランジスタのコレクタが第２のレジスタンスを介し、第２のトランジスタのベースに接続される。
【００１４】
上記ＵＳＢインターフェースを有する電子機器において、第１のトランジスタはＮＰＮ型トランジスタで、第２のトランジスタはＰＮＰ型トランジスタである。
【００１５】
上記ＵＳＢインターフェースを有する電子機器において、制御回路は、第１のトランジスタと、第１の金属酸化物半導体型電界効果トランジスタとをさらに備える。
【００１６】
第１のトランジスタのベースが電源管理チップの充電電圧ＶＣＨＧピンに接続され、第１のトランジスタのコレクタが第１の金属酸化物半導体型電界効果トランジスタのグリッドに接続されて、第１のトランジスタのエミッタがグランドに接続される。
【００１７】
第１の金属酸化物半導体型電界効果トランジスタのドレインが固定電圧出力側に接続され、第１の金属酸化物半導体型電界効果トランジスタのソースがＵＳＢインターフェースチップのＵＳＢ＿ＶＢＵＳピンに接続されるとともに、第３のレジスタンスを介しグランドに接続されて、第１の金属酸化物半導体型電界効果トランジスタのドレインが第５のレジスタンスを介し第１の酸化物半導体型電界効果トランジスタのグリッドに接続される。
【００１８】
上記ＵＳＢインターフェースを有する電子機器において、前記第１のトランジスタのベースが第１のレジスタンスを介し電源管理チップの充電電圧ＶＣＨＧピンに接続される。
【００１９】
上記ＵＳＢインターフェースを有する電子機器において、第１のトランジスタのコレクタが第４のレジスタンスを介し第１の金属酸化物半導体型電界効果トランジスタのグリッドに接続される。
【００２０】
上記ＵＳＢインターフェースを有する電子機器において、第１のトランジスタはＮＰＮ型トランジスタであり、金属酸化物半導体型電界効果トランジスタはＰ型金属酸化物半導体型電界効果トランジスタである。
【００２１】
本発明の実施例は、さらに上記のようなＵＳＢインターフェースを有する電子機器のＵＳＢ通信の起動方法を提供する。
当該方法は、
制御回路がＶＣＨＧ信号を検出することと、
制御回路がＶＣＨＧ信号に基づき、ＵＳＢ＿ＶＢＵＳピンに対して、ＵＳＢ＿ＶＢＵＳピンに出力する電圧と互いに隔離する制御信号に対応する電圧値を出力することとを含む。
【００２２】
上記方法において、
制御回路がＶＣＨＧ信号を検出することは、制御回路が制御ピン電圧を検出することであり、
制御回路がＶＣＨＧ信号に基づき、ＵＳＢ＿ＶＢＵＳピンに対して制御信号に対応する電圧値を出力することは、制御回路が、制御ピン電圧が設定された閾値より大きいと検出した場合、出力ピンにより固定電圧を出力し、ＵＳＢインターフェースチップがＵＳＢ＿ＶＢＵＳピンにより入力された固定電圧に基づきＵＳＢ通信を起動し、
制御回路が、制御ピン電圧が設定された閾値より小さいと検出した場合、出力ピンにより０Ｖより大きくＵＳＢステートマシンの起動電圧より小さいローレベルを出力し、ＵＳＢインターフェースチップがＵＳＢ＿ＶＢＵＳピンにより入力されたローレベルに基づきＵＳＢ通信を停止することである。
【００２３】
携帯情報端末製品の充電電圧ＶＣＨＧを制御信号（ＵＳＢ＿ＶＢＵＳピンに出力する電圧と互いに隔離している）のみとすることで、制御回路が固定電圧のハイレベルを出力するか、それともローレベルを出力するかを選択させ、さらにＵＳＢ通信を起動、又は停止するトリガー信号とするので、機器の損壊を回避することができるとともに、ＶＣＨＧピンの電圧閾値を介し充電ステートマシンをトリガーすると同時に、ＵＳＢステートマシンもトリガーすることが実現できる。
【図面の簡単な説明】
【００２４】
【図１】既存技術におけるＵＳＢインターフェースを有する電子機器の構造図である。
【図２】本発明に係わるＵＳＢインターフェースを有する電子機器の構造図である。
【図３】本発明に係わるダブルトランジスタ構造を含む電子機器の構造図である。
【図４】本発明に係わるトランジスタ、金属酸化物半導体型電界効果トランジスタ構造を含む電子機器の構造図である。
【発明を実施するための形態】
【００２５】
本発明の基本的な構想は、機器の制御回路の制御ピンが電源管理チップのＶＣＨＧピンに、制御回路の出力ピンがＵＳＢインターフェースチップのＵＳＢ＿ＶＢＵＳピンに、制御回路の電源ピンがハイレベルを入力する固定電圧入力側に接続されて、制御回路は制御ピン電圧が設定された閾値より大きいと検出した場合、出力ピンにより固定電圧を出力し、制御ピン電圧が設定された閾値より小さいと検出した場合、出力ピンによりローレベルを出力することに用いられることである。
【００２６】
以下、添付の図面を参照しながら、本発明の好適な実施例について説明する。本発明の第１の実施例はＵＳＢインターフェースを有する電子機器１００である。以下、図２を参照して、当該機器１００の原理を説明する。当該機器１００は、電源管理チップ１０２と、ＵＳＢインターフェースチップ１０３と、それぞれ電源管理チップ１０２とＵＳＢインターフェースチップ１０３に接続され、電源管理チップ１０２に入力する充電電圧ＶＣＨＧをＵＳＢ＿ＶＢＵＳピンに出力する電圧と互いに隔離する制御信号として、ＵＳＢインターフェースチップ１０３のＵＳＢバスの電源正極ＵＳＢ＿ＶＢＵＳピンに対して制御信号に対応する電圧値を出力する制御回路１０４とを備える。具体的には、電源管理チップ１０２、ＵＳＢインターフェースチップ１０３、及び制御回路１０４はともに、電源管理チップ１０２、ＵＳＢインターフェースチップ１０３、及び制御回路１０４はともにグランドに接続される。電源管理チップ１０２の充電電圧ＶＣＨＧピンとグランドピンがそれぞれ外部の充電器１０１の正極と負極に接続され、制御回路１０４の制御ピンが電源管理チップ１０２のＶＣＨＧピンに、制御回路１０４の出力ピンがＵＳＢインターフェースチップ１０２のＵＳＢバスの電源正極ＵＳＢ＿ＶＢＵＳピンに、制御回路１０４の電源ピンが、例えば２．８５ＶのようなＵＳＢステートマシンの起動電圧（例えば２．０Ｖ）より大きくＵＳＢ＿ＶＢＵＳの最大動作電圧（例えば５．２５Ｖ）より小さいハイレベルを入力するある固定電圧の入力側１０５に接続される。制御回路１０４は、制御ピン電圧が設定された閾値（例えば３．３Ｖ）より大きいと検出した場合、出力ピンにより固定電圧を出力し、制御ピン電圧が設定された閾値（３．３Ｖ）より小さいと検出した場合、出力ピンにより０Ｖ以上ＵＳＢステートマシンの起動電圧より小さいローレベル（０Ｖ）を出力することに用いられる。
【００２７】
上記回路に基づいたＶＣＨＧによりＵＳＢを起動する方法の原理は以下のとおりである。
【００２８】
１．制御回路は制御ピン電圧を検出する。
２．制御回路はＶＣＨＧでの電圧がある閾値より大きいと検出した場合、出力ピンにより固定のハイレベル(その電圧範囲は２．０Ｖ-５．０Ｖであり、例えば２．８５Ｖ)を出力し、ＵＳＢ＿ＶＢＵＳピンに接続される。ＵＳＢインターフェースチップがＵＳＢ＿ＶＢＵＳに基づき当該箇所の電圧値がＵＳＢ規準におけるＳｅｓｓｉｏｎ値(例えば２．０Ｖ)より大きいと検出し、ＵＳＢステートマシンを起動する。
３．制御回路はＶＣＨＧでの電圧がある閾値以下であると検出した場合、出力ピンにより固定の (その電圧範囲は０Ｖ-２．０Ｖであり、例えば０Ｖ)を出力し、ＵＳＢ＿ＶＢＵＳピンに接続される。ＵＳＢインターフェースチップがＵＳＢ＿ＶＢＵＳに基づき当該箇所の電圧値がＵＳＢ規準におけるＳｅｓｓｉｏｎ値(例えば２．０Ｖ)より小さいと検出し、ＵＳＢステートマシンを停止する。
【００２９】
以下、図３を参照して、ＮＰＮトランジスタとＰＮＰトランジスタを含む制御回路について詳しく説明する。当該制御回路は、
ベースが第１のレジスタンスＲ１を介し電源管理チップの充電電圧ＶＣＨＧピンに接続され、コレクタが第２のレジスタンスＲ２を介し第２のトランジスタＱ２のベースに連接して、エミッタがグランドに接続される第１のトランジスタＱ１と、
エミッタが固定電圧出力側に接続され、コレクタがＵＳＢインターフェースチップのＵＳＢ＿ＶＢＵＳピンに接続されるとともに、第３のレジスタンスＲ３を介しグランドに接続される第２のトランジスタＱ２と、を備える。
【００３０】
制御回路の各部分の役割は、以下のようになっている。第１のレジスタンスＲ１とＮＰＮ第１のトランジスタＱ１により充電入力電圧検出部を構成する。第１のレジスタンスＲ１の役割は検出電圧の閾値と最大入力電圧値を調整することであり、即ち第１のトランジスタＱ１が導通する電圧閾値を充電閾値とほぼ一致させるとともに、過電圧保護を満足するように調整する。例えば、過電圧保護の最大電圧は１０Ｖとして、ＶＣＨＧが０Ｖ-１０Ｖである場合、制御回路と端末の他の回路が損壊することにならない。第２のレジスタンスＲ２とＰＮＰ第２のトランジスタＱ２により制御出力部を構成する。第２のレジスタンスＲ２の役割は限流で、第２のトランジスタＱ２の役割は出力を制御することである。固定電圧入力側１０５はハイレベル固定電圧源ＶＤＤであり、その範囲は２．０Ｖ-５．０Ｖである。第３のレジスタンスＲ３をプルダウン抵抗とすることで、第２のトランジスタＱ２が遮断状態で、第２のトランジスタＱ２の出力が０Ｖであることを確保する。
【００３１】
それに応じて、本発明の実施例に係わるＶＣＨＧによりＵＳＢ通信を起動する方法は、制御回路がＶＣＨＧ信号を検出し、ＶＣＨＧ信号に基づきＵＳＢ＿ＶＢＵＳピンに制御信号に対応する電圧値を出力することである。具体的には、以下のようなステップが含まれる。
【００３２】
ステップ１：充電電圧ＶＣＨＧが閾値(例えば３．３Ｖ)を超えたか否かを検出し、そうである場合ステップ２を実行し、そうでない場合ステップ３を実行する。
ステップ２：第１のトランジスタＱ１が導通し、次に第２のトランジスタＱ２も導通し、固定のハイレベル値ＶＤＤ(例えば２．８５Ｖ）がＵＳＢ＿ＶＢＵＳに印加され、当該電圧値がＳｅｓｓｉｏｎ値を超えた場合、ＵＳＢ通信を起動する。ステップ１に戻る。
ステップ３：第１のトランジスタＱ１が遮断し、第１のトランジスタＱ１により第２のトランジスタＱ２も遮断状態にあるように制御する。このように、第３のレジスタンスＲ３のプルダウン機能により生成した０Ｖの電圧をＵＳＢ＿ＶＢＵＳに印加して、当該電圧値がＳｅｓｓｉｏｎ値より小さい場合、ＵＳＢ通信を停止する。ステップ１に戻る。
【００３３】
以下、図４を参照して、ＮＰＮトランジスタとＭＯＳトランジスタ、即ちＭＯＳＦＥＴトランジスタ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ、金属酸化物半導体型電界効果トランジスタ）の制御回路に対して詳しく説明する。当該制御回路は、
ベースが第１のレジスタンスＲ１を介し電源管理チップの充電電圧ＶＣＨＧピンに接続され、コレクタが第４のレジスタンスＲ４を介し第１のＭＯＳトランジスタＱ１のグリッドに連接して、エミッタがグランドに接続される第１のトランジスタＱ１と、
ドレインが固定電圧出力側に接続され、ソースがＵＳＢインターフェースチップのＵＳＢ＿ＶＢＵＳピンに接続されるとともに、第３のレジスタンスＲ３を介しグランドに接続されて、ドレインが第５のレジスタンスＲ５を介しグリッドに接続される第１のＭＯＳトランジスタＱ３と、を備える。
【００３４】
制御回路の各部分の役割は、以下のようになっている。第１のレジスタンスＲ１とＮＰＮ第１のトランジスタＱ１により充電入力電圧検出部を構成する。第１のレジスタンスＲ１の役割は検出電圧の閾値と最大入力電圧値を調整することであり、即ち第１のトランジスタＱ１が導通する電圧閾値を充電閾値とほぼ一致させるとともに、過電圧保護を満足するように調整する。例えば、過電圧保護の最大電圧は１０Ｖとして、ＶＣＨＧが０Ｖ-１０Ｖである場合、制御回路と端末の他の回路が損壊することにならない。第２のレジスタンスＲ２、第４のレジスタンスＲ４及びＭＯＳトランジスタＱ３により制御出力部を構成する。第２のレジスタンスＲ２の役割は限流で、ＭＯＳトランジスタＱ３の役割は出力を制御することである。第５のレジスタンスＲ５は、第１のトランジスタが遮断する場合、ＭＯＳトランジスタＱ３も遮断状態にあるように確保するプルアップ抵抗である。固定電圧入力側１０５はハイレベル固定電圧源ＶＤＤであり、その範囲は２．０Ｖ-５．０Ｖである。第３のレジスタンスＲ３をプルダウン抵抗とすることで、ＭＯＳトランジスタＱ３が遮断状態で、ＭＯＳトランジスタＱ３の出力が０Ｖであることを確保する。本実施例においてＰ型ＭＯＳトランジスタを採用する。
【００３５】
それに応じて、本発明の実施例に係わるＶＣＨＧによりＵＳＢ通信を起動する方法は下記のステップが含まれる。
【００３６】
ステップ４:充電電圧ＶＣＨＧが閾値(例えば３．３Ｖ)を超えたか否かを検出し、そうである場合ステップ５を実行し、そうでない場合ステップ６を実行する。
ステップ５:第１のトランジスタＱ１が導通し、次にＭＯＳトランジスタＱ３も導通し、固定のハイレベル値ＶＤＤ(例えば２．８５Ｖ）がＵＳＢ＿ＶＢＵＳに印加され、当該電圧がＳｅｓｓｉｏｎ値を超えた場合、ＵＳＢ通信を起動する。ステップ４に戻る。
ステップ６:第１のトランジスタＱ１が遮断し、第１のトランジスタＱ１によりＭＯＳトランジスタＱ３も遮断状態にあるように制御する。このように、第３のレジスタンスＲ３のプルダウン機能により生成した０Ｖの電圧をＵＳＢ＿ＶＢＵＳに印加して、当該電圧値がＳｅｓｓｉｏｎ値より小さい場合、ＵＳＢ通信を停止する。ステップ４に戻る。
【００３７】
なお、上記実施例は本発明の技術構成案を説明するもので、本発明を制限するものではない。好適な実施例を参照して本発明を詳しく説明したが、当業者であれば、本発明の様々な変更や変形が可能である。本発明の精神や原則を逸脱しないいずれの変更、置換、改良なども本発明の保護範囲内に含まれる。 
【図１】
0005941135.tif 000002
【図２】
0005941135.tif 000003
【図３】
0005941135.tif 000004
【図４】
0005941135.tif 000005